(57)【要約】【課題】伝導貼付片の貼付可能な位置が増加し、且つ相違する部位に、相違する、周波数、力及び作動モードを同時に加えることができ、施療時間を短縮することができるターゲット式脂肪快速減少機を提供する。【解決手段】ホストと、複数の伝導ケーブルと、多数の伝導貼付片と、を含み、ホストは、ケースを含み、ケースの内部には、表示制御部と、電源供給部と、第１低周波発生部と、第２低周波発生部と、第１低周波出力接続穴と、第２低周波出力接続穴と、が設けられ、伝導ケーブルは、それぞれ各出力接続穴に接続され、各伝導ケーブルの自由端に複数本の付属伝導ケーブルが接続され、各付属伝導ケーブルの自由端に連接具が設けられ、伝導貼付片は、連接具と係合する係合具が設けられ、ユーザのシェーピングしたい部位に貼り付けられる。【選択図】図２
0003162094.tif 000002
【実用新案登録請求の範囲】
【請求項１】
ホストと、複数の伝導ケーブルと、多数の伝導貼付片と、を含み、
前記ホストは、ケースを含み、前記ケースの内部には、表示制御部と、電源供給部と、第１低周波発生部と、第２低周波発生部と、第１低周波出力接続穴と、第２低周波出力接続穴と、が設けられ、前記表示制御部は、前記電源供給部、前記第１低周波発生部および前記第２低周波発生部と電気的に連接し、前記電源供給部と前記第１低周波発生部と前記第２低周波発生部とを制御し、前記電源供給部の電力が前記第１低周波発生部と前記第２低周波発生部とに供給され、前記第１低周波発生部は、第１伝送ケーブルを介して前記第１低周波出力接続穴と電気的に連接し、前記第２低周波発生部は、第２伝送ケーブルを介して前記第２低周波出力接続穴と電気的に連接し、前記第１低周波出力接続穴と前記第２低周波出力接続穴とは、前記ケースに設けられ、外部に露呈し、
前記伝導ケーブルは、それぞれ各出力接続穴に接続され、前記各伝導ケーブルの自由端に複数本の付属伝導ケーブルが接続され、前記各付属伝導ケーブルの自由端に連接具が設けられ、
前記伝導貼付片は、前記連接具と係合する係合具が設けられ、ユーザのシェーピングしたい部位に貼り付けられ、１台の前記ホストにある２セットの前記低周波発生部は、多くの位置に設置することができ、ユーザのシェーピングしたい部位によって周波数を別々に調整可能であることを特徴とするターゲット式脂肪快速減少機。
【請求項２】
前記伝導貼付片は、ベストに適用されてもいいし、弾性バンドに適用されてもよく、前記ベストには、複数の前記伝導貼付片と、複数の係合具と、が設けられ、前記弾性バンドには、複数の前記伝導貼付片と、複数の係合具と、が設けられることを特徴とする、請求項１に記載のターゲット式脂肪快速減少機。
【請求項３】
使用する前には、前記伝導貼付片を清潔して、保護貼付片で前記伝導貼付片をカバーすることが必要であり、ユーザの皮膚に前記伝導貼付片を貼り付ける前には、前記伝導貼付片の表面に導入ゲルを塗布することが必要であり、前記伝導貼付片がゲル貼付片である場合には、使用する前に導入ゲルをゲル貼付片の表面に塗布する必要がないことを特徴とする、請求項１に記載のターゲット式脂肪快速減少機。
【考案の詳細な説明】
【技術分野】
【０００１】
本考案は、低周波施療機に関し、特に、１台のホストが２セットの低周波発生器を有し、伝導貼付片の貼付可能な位置が増加するターゲット式脂肪快速減少機に関するものである。
【背景技術】
【０００２】
従来の低周波施療機は、１台のホストに１セットだけの低周波発生器が設けられ、前記低周波発生器の出力端に二つの出力接続穴が設けられるが、低周波発生器が１セットだけを有するため、その周波数、力、作動モード及び電子回路が同じ、しかし、シェーピングしたい部位の必要な周波数などが相違し、例えば腹部の脂肪がより多いため、周波数および力をより大きくすることが必要であり、なお、手とネックなどの部位の脂肪がより少ないため、周波数および力をより小さくすることが必要である。この原因で、１セットだけの低周波発生器により、ユーザの全部の部位をシェーピングすることができないことが分かる。
【考案の概要】
【考案が解決しようとする課題】
【０００３】
本考案の主な目的は、１台のホストに２セットの低周波発生部が設けられるため、伝導貼付片の貼付可能な位置が増加し、且つ相違する部位に、相違する、周波数、力及び作動モードを同時に加えることができ、施療時間を短縮することができるターゲット式脂肪快速減少機を提供することにある。
【課題を解決するための手段】
【０００４】
本考案のターゲット式脂肪快速減少機によると、ホストと、複数の伝導ケーブルと、多数の伝導貼付片と、を含み、
前記ホストは、ケースを含み、前記ケースの内部には、表示制御部と、電源供給部と、第１低周波発生部と、第２低周波発生部と、第１低周波出力接続穴と、第２低周波出力接続穴と、が設けられ、前記表示制御部は、前記電源供給部、前記第１低周波発生部および前記第２低周波発生部と電気的に連接し、前記電源供給部と前記第１低周波発生部と前記第２低周波発生部とを制御し、前記電源供給部の電力が前記第１低周波発生部と前記第２低周波発生部とに供給され、前記第１低周波発生部は、第１伝送ケーブルを介して前記第１低周波出力接続穴と電気的に連接し、前記第２低周波発生部は、第２伝送ケーブルを介して前記第２低周波出力接続穴と電気的に連接し、前記第１低周波出力接続穴と前記第２低周波出力接続穴とは、前記ケースに設けられ、外部に露呈し、
前記伝導ケーブルは、それぞれ各出力接続穴に接続され、前記各伝導ケーブルの自由端に複数本の付属伝導ケーブルが接続され、前記各付属伝導ケーブルの自由端に連接具が設けられ、
前記伝導貼付片は、前記連接具と係合する係合具が設けられ、ユーザのシェーピングしたい部位に貼り付けられ、１台の前記ホストにある２セットの前記低周波発生部は、多くの位置に設置することができ、ユーザのシェーピングしたい部位によって周波数を別々に調整可能であることを特徴とする。
【０００５】
本考案のターゲット式脂肪快速減少機によると、前記伝導貼付片は、ベストに適用されてもいいし、弾性バンドに適用されてもよく、前記ベストには、複数の前記伝導貼付片と、複数の係合具と、が設けられ、前記弾性バンドには、複数の前記伝導貼付片と、複数の係合具と、が設けられることを特徴とする。
【０００６】
本考案のターゲット式脂肪快速減少機によると、使用する前には、前記伝導貼付片を清潔して、保護貼付片で前記伝導貼付片をカバーすることが必要であり、ユーザの皮膚に前記伝導貼付片を貼り付ける前には、前記伝導貼付片の表面に導入ゲルを塗布することが必要であり、前記伝導貼付片がゲル貼付片である場合には、使用する前に導入ゲルをゲル貼付片の表面に塗布する必要がないことを特徴とする。
【考案の効果】
【０００７】
本考案のターゲット式脂肪快速減少機によれば、１台のホストに２セットの低周波発生部が設けられるため、伝導貼付片の貼付可能な位置が増加し、且つ相違する部位に、相違する、周波数、力及び作動モードを同時に加えることができ、施療時間を短縮することができるという効果を有する。
【図面の簡単な説明】
【０００８】
【図１】本考案の実施例の分解斜視図である。
【図２】本考案の実施例の組合済み状態の模式図である。
【図３】本考案の実施例の使用状態を示す模式図である。
【図４】本考案の実施例の別の使用状態を示す模式図である。
【考案を実施するための形態】
【０００９】
以下、本考案の実施の形態を図面に基づいて説明する。
まず、図１乃至図４を参照する。本考案の実施例のターゲット式脂肪快速減少機は、ホスト１０と、伝導ケーブル２２、２３と、多数の伝導貼付片５０と、を含む。
【００１０】
前記ホスト１０は、ケース１１を含み、前記ケース１１の内部には、表示制御部１３と、電源供給部１２と、第１低周波発生部２０と、第２低周波発生部３０と、第１低周波出力接続穴２１と、第２低周波出力接続穴３１と、が設けられる。前記表示制御部１３は、前記電源供給部１２、前記第１低周波発生部２０および前記第２低周波発生部３０と電気的に連接し、前記電源供給部１２と前記第１低周波発生部２０と前記第２低周波発生部３０とを制御する。前記電源供給部１２の電力が前記第１低周波発生部２０と前記第２低周波発生部３０とに供給される。前記第１低周波発生部２０は、第１伝送ケーブル２０１を介して前記第１低周波出力接続穴２１と電気的に連接する。前記第２低周波発生部３０は、第２伝送ケーブル３０１を介して前記第２低周波出力接続穴３１と電気的に連接する。前記第１低周波出力接続穴２１と前記第２低周波出力接続穴３１とは、前記ケース１１に設けられ、外部に露呈する。
【００１１】
前記伝導ケーブル２２、３２は、それぞれ前記出力接続穴２１、３１に接続され、前記伝導ケーブル２２、３２の自由端に付属伝導ケーブル２２１、２２２、３２１、３２２が接続され、前記各付属伝導ケーブル２２１、２２２、３２１、３２２の自由端に連接具４０がそれぞれ設けられる。
【００１２】
前記伝導貼付片５０は、前記連接具４０と係合する係合具５１が設けられ、ユーザのシェーピングしたい部位に貼り付けられ、１台の前記ホスト１０にある２セットの前記低周波発生部２０、３０は、多くの位置に設置することができ、ユーザのシェーピングしたい部位によって周波数と力とを別々に調整可能である。
【００１３】
前記伝導貼付片５０は、ベスト６０に適用されてもいいし、弾性バンド７０に適用されてもよい。前記ベスト６０には、複数の前記伝導貼付片５０と、複数の係合具５１と、が設けられる。前記弾性バンド７０には、複数の前記伝導貼付片５０と、複数の係合具５１と、が設けられる。
【００１４】
使用する前には、前記伝導貼付片５０を清潔して、保護貼付片５２で前記伝導貼付片５０をカバーすることが必要である。前記保護貼付片５２により、前記伝導貼付片５０の表面の清潔を保持することができる。
【００１５】
ユーザの皮膚に前記伝導貼付片５０を貼り付ける前には、前記伝導貼付片５０の表面に導入ゲルを塗布することが必要である。しかし、前記伝導貼付片５０がゲル貼付片である場合には、使用する前に、導入ゲルをゲル貼付片の表面に塗布する必要がない。
【産業上の利用可能性】
【００１６】
本考案は、人体の内部にある脂肪を快速に減少することができる装置に適用することができる。
【符号の説明】
【００１７】
１０：ホスト
１１：ケース
１２：電源供給部
１３：表示制御部
２０：第１低周波発生部
２１：第１低周波出力接続穴
２２：伝導ケーブル
３２：伝導ケーブル
３０：第２低周波発生部
３１：第２低周波出力接続穴
４０：連接具
５０：伝導貼付片
５１：係合具
５２：保護貼付片
６０：ベスト
７０：弾性バンド
２０１：第１伝送ケーブル
３０１：第２伝送ケーブル
２２１：付属伝導ケーブル
２２２：付属伝導ケーブル
３２１：付属伝導ケーブル
３２２：付属伝導ケーブル
【図１】
0003162094.tif 000003
【図２】
0003162094.tif 000004
【図３】
0003162094.tif 000005
【図４】
0003162094.tif 000006